(57)【要約】正面投射型のディスプレイシステム１００は、小さなサイズの画像を投影する「ノーマルな」テレビジョン−リプレースメントモード、又は大きなサイズの画像による大きなフォーマットの「シネマ」投影モードのいずれかで選択的に動作する。表示サイズ選択は、周囲の光レベルのような要素に従って自動的に行われるか、及び／又はユーザ制御下で手動により行われる場合がある。表示サイズの選択に応答して、コントローラ１４０は、メモリ１４５から適切なデータを検索し、第一の大きなサイズのフォーマット又は第二の小さなサイズのフォーマットのいずれかで画像投影表面１５０に画像を表示させるため、投影レンズシステム１３０を制御する。
2007516676.tif 000002
【特許請求の範囲】
【請求項１】
投射型ディスプレイシステムであって、
光を発生する光源と、
前記光源により発生された光から画像を生成するために適合される光変調器と、
画像投影表面に前記画像を投影するために適合される投影レンズシステムと、
前記画像投影表面に投影された画像の第一の表示サイズを表す第一のデータと、前記画像投影表面に前記投影された画像の第二の表示サイズを表す第二のデータとを記憶するメモリ、
前記メモリから前記第一及び第二のデータのうちの一方を検索し、これに応じて、前記画像投影表面に前記第一及び第二の表示サイズのうちの対応する一方を前記投影された画像が有するために前記投影レンズシステムを制御するために適合されるコントローラと、
を有することを特徴とする投射型ディスプレイシステム。
【請求項２】
前記投射型ディスプレイシステムが位置される領域に存在する周囲の光レベルを検出するために適合されるセンサを更に有し、
前記コントローラは、検出された周囲の光レベルに応答して前記第一及び第二の表示サイズのうちの一方を選択する、
請求項１記載の投射型ディスプレイシステム。
【請求項３】
ユーザからのサイズ選択の指示を受信するために適合されるユーザ入力を更に有し、
前記コントローラは、前記ユーザからのサイズ選択の指示に応答して前記第一及び第二の表示サイズのうちの一方を選択する、
請求項１記載の投射型ディスプレイシステム。
【請求項４】
前記コントローラは、前記画像のソースフォーマット、前記投射型ディスプレイシステムに前記画像を供給するソースデバイスのタイプ、及び前記画像のプログラムタイプからなるグループから選択された１つに応答して、前記画像投影表面に前記第一及び第二の表示サイズのうちの１つを前記投影された画像が有するために前記投影レンズシステムを制御する、
請求項１記載の投射型ディスプレイシステム。
【請求項５】
前記第一の表示サイズの対角線の寸法の前記第二の表示サイズの対角線の寸法に対する比は、少なくとも３：１である、
請求項１記載の投射型ディスプレイシステム。
【請求項６】
前記投影レンズシステムは、前記コントローラに応答して前記投影された画像のサイズを変えるために適合されるズームレンズを含む、
請求項１記載の投射型ディスプレイシステム。
【請求項７】
前記投影レンズシステムは、前記コントローラに応答して前記光変調器から受信された前記画像の光経路内又は光経路外に少なくとも１つのレンズを選択的に移動するための手段を含む、
請求項１記載の投射型ディスプレイシステム。
【請求項８】
前記投影レンズシステムは、スキャニングレーザビームを含む、
請求項１乃至７のいずれか記載の投射型ディスプレイシステム。
【請求項９】
前記表示サイズを表す前記第一のデータ又は前記第二のデータは、表示されるべき電子的なデータ入力を分析する前記コントローラにより選択される、
請求項１乃至８のいずれか記載の投射型ディスプレイシステム。
【請求項１０】
投射型ディスプレイシステムで画像を投影する方法であって、
画像を発生するステップと、
画像投影表面に第一の表示サイズを表す第一のデータ、又は前記画像投影表面に第二の表示サイズを表す第二のデータのいずれかをメモリから選択的に検索するステップと、
検索されたデータに応答して、前記第一及び第二の表示サイズのうちの対応する一方で前記画像投影表面に前記画像を投影するステップと、
を含むことを特徴とする方法。
【請求項１１】
前記投射型ディスプレイシステムが位置される領域に存在する周囲の光レベルを検出するステップと、
検出された周囲の光レベルに応答して前記第一及び第二の表示サイズのうちの一方を選択するステップと、
更に有する請求項１０記載の方法。
【請求項１２】
ユーザからサイズ選択の指示を受けるステップと、
前記ユーザからの前記サイズ選択の指示に応答して、前記第一及び第二の表示サイズのうちの一方を選択するステップと、
を更に有する請求項１０記載の方法。
【請求項１３】
前記画像のソースフォーマット、前記投射型ディスプレイシステムに前記画像を供給するソースデバイスのタイプ、及び前記画像のプログラムタイプのうちの１つを決定するステップと、
前記ソースフォーマット、前記ソースデバイスのタイプ、及び前記プログラムタイプのうちの決定された１つに応答して、前記第一及び第二の表示サイズのうちの一方を選択するステップと、
を更に有する請求項１０記載の方法。
【請求項１４】
前記第一の表示サイズの対角線の寸法の前記第二の表示サイズの対角線の寸法に対する比は、少なくとも３：１である、
請求項１０記載の方法。
【請求項１５】
前記第一及び第二の表示サイズのうちの対応する１つで前記画像投影表面に前記画像を投影するステップは、ズームレンズの倍率を調節するステップを含む、
請求項１０記載の方法。
【請求項１６】
前記第一及び第二の表示サイズのうちの対応する１つで前記画像投影表面に前記画像を投影するステップは、前記投影された画像の光経路内又は光経路外に少なくとも１つのレンズを選択的に移動するステップを含む、
請求項１０記載の方法。
【請求項１７】
光を生成する光源と、
前記光源により発生された光から画像を生成する手段と、
画像投影表面に前記画像を投影する投影手段と、
前記投射型ディスプレイシステムが位置される領域に存在する周囲の光レベルを検出する手段と、
検出された周囲の光レベルに応答して前記画像投影表面に投影された画像のサイズを変えるため、前記投影手段を制御するために適合される制御手段と、
を有することを特徴とする投射型ディスプレイシステム。
【請求項１８】
前記制御手段は、前記検出された周囲の光レベルに関わらず、ユーザからのサイズ選択入力信号に応答して、投影された画像のサイズを選択するために適合される、
請求項１７記載の投射型ディスプレイシステム。
【請求項１９】
前記投影手段は、前記第一及び第二の表示サイズで前記画像を投影するために適合され、前記第一の表示サイズの対角線の寸法の前記第二の表示サイズの対角線の寸法に対する比は、少なくとも３：１である、
請求項１７記載の投射型ディスプレイシステム。
【請求項２０】
前記投影手段は、前記制御手段に応答して前記投影された画像のサイズを変えるために適合される、
請求項１７記載の投射型ディスプレイシステム。
【請求項２１】
前記投影手段は、前記投影された画像の光経路内または光経路外に少なくとも１つのレンズを選択的に移動する手段を含む、
請求項１７記載の投射型ディスプレイシステム。
【請求項２２】
前記画像を生成する手段は、液晶表示装置又はデジタルマイクロミラー装置のうちの１つを含む、
請求項１７記載の投射型ディスプレイシステム。
【発明の詳細な説明】
【技術分野】
【０００１】
本発明は、イメージプロジェクタに関し、特に、表示されるサイズが変化される場合がある正面投射型のディスプレイシステムに関する。
【背景技術】
【０００２】
正面投射型のディスプレイシステムは、それらの価格が減少するにつれ、画質及び照射強度が改善するにつれて益々普及している。適切な照明条件の下で、正面投射型のディスプレイシステムは、他のタイプの従来のディスプレイシステム（たとえば陰極線管、リアプロジェクションディスプレイ、プラズマディスプレイ、液晶ディスプレイ等）と一般に可能又は実施不可能な大型サイズ（たとえば１２０”対角線）で優れた品質のビデオ画像を表示することができる。正面投射型のディスプレイシステムは、大型のフォーマットで映画及びスポーツのようなビデオコンテンツを表示するために一般に普及している。過去において、かかる正面投射型のディスプレイシステムは、ホームシアター、ベースメント、リビングルーム、非常に大きく表示される画像による「ホームシネマ」の体験を提供するのが望まれる他の大型の視聴エリアで主に使用されてきている。
【０００３】
しばらくの間、画質及び照射強度は改善され、価格が減少するにつれ、リビングルーム、ファミリールーム等で陰極線管ディスプレイ、背面投射型ディスプレイ又はプラズマディスプレイ装置のような「通常の」テレビジョンディスプレイのリプレースメントユニットとして正面投射型ディスプレイシステムを多くの人が考えることが可能となってきている。
【０００４】
しかし、様々な理由のため、視聴者は、大型フォーマット（たとえば１２０”対角線）で表示されるビデオプログラムを視聴するのを常に望まない。たとえば、ニュース番組における激しい画像、恐怖心を起させるアニメーションの漫画のキャラクタ等は、かかる大型サイズで表示された場合に、（特に小さな子供に対して）狼狽させる場合がある。また、同時に、１以上の人が正面投射型のディスプレイシステムで表示されたニュース番組又は他のテレビジョン番組を見て、同じ部屋にいる他の人が会話、ゲーム、読書等のような他のアクティビティに従事する場合がある。そのケースでは、巨大な画像（たとえば１２０”対角線）は、これら他のアクティビティを邪魔となり、乱す場合がある。
【０００５】
これらのケースでは、ユーザは、より慣習的な「通常」サイズ（たとえば２８”対角線）でビデオコンテンツを見ることを好む。
【０００６】
さらに、正面投射型のディスプレイシステムの照明強度は改善され続け、ハイレベルのバックグランド又は周辺の光は、これらのシステムにより表示される大型フォーマットの画像を見るのを困難にする。したがって、正面投射型のディスプレイシステムにより表示される大型サイズの画像を見るため、カーテンを閉じ、及び／又は部屋の明かりを暗くすることが典型的に必要である。
【０００７】
「シネマ」設定における特別のスポーツイベント又は映画を見るため、人々はカーテンを閉じ、及び／又は全ての明かりを暗く（オフに）するのを望むが、ニュース番組、天気予報、ゲームショウ等を見るのをまさに望むときでさえ、これを常に行うのを望まない。さらに、ニュース及び大部分の他の「通常の」テレビ番組を１２０”サイズのフォーマットで見ることは一般に望まれていない。
【０００８】
さらに、先に述べたように、１以上の人が正面投射型のディスプレイシステムにより表示されるレギュラーテレビ番組を見る場合があるのと同時に、同じ部屋にいる他の人は、会話、ゲーム、読書等のような他のアクティビティに従事している場合がある。そのケースでは、明かりを暗くすること又は明かりを完全に消すことは、不可能でない場合、それら他の人にとってこれらのアクティビティに従事又は楽しむのを困難にする。
【０００９】
結果として、様々な環境で全ての種類のビデオ番組を更に一般的に見るため、「テレビジョンリプレースメント」ディスプレイとして既存の正面投射型のディスプレイシステムを適合することへの障害が存在する。
【発明の開示】
【発明が解決しようとする課題】
【００１０】
したがって、（縮小サイズの画像を投影する）「通常の」テレビジョンリプレースメントモード、又は（拡大サイズの画像を投影する）大型フォーマットの「シネマ」投影モードのいずれかで選択的に動作可能な投射型ディスプレイシステムを提供することが望まれる。
【００１１】
また、周囲の光レベル、プログラムコンテンツ、ビデオソース等のような１以上の予め決定された基準に基づいて画像を表示するため、２つの異なる表示サイズ間で自動的に選択することができる、かかるシステムを提供することが望まれる。
【００１２】
さらに、大型サイズのフォーマットと小型の「ノーマルテレビジョン」サイズのフォーマットとの間での自動選択／ユーザ選択を提供する、画像を投影する方法を提供することが望まれる。
【００１３】
さらに、全ての光を縮小サイズ（たとえば２８”）画像に集中することで、より大きな昼間の視聴の可能性を提供することができる投射型ディスプレイシステムを提供することが望まれる。  
本発明は、先行する１以上の問題に対処することに向けられる。
【課題を解決するための手段】
【００１４】
本発明の１態様では、投射型ディスプレイシステムは、光を発生する光源、光源から発生された光から画像を生成するために適合される光変調器、画像を画像投影表面に投影するために適合される投影レンズ系、画像投影表面に投影された画像の第一の表示サイズを表す第一のデータ、画像投影表面に投影された画像の第二の表示サイズを表す第二のデータを記憶するメモリ、及び、メモリから第一及び第二のデータの１つを検索し、これに応じて、画像投影表面に第一及び第二の表示サイズのうちの対応する１つを投影された画像が有するように、投影レンズ系を制御するために適合されるコントローラを有する。
【００１５】
本発明の別の態様では、投射型のディスプレイシステムで画像を投影する方法は、画像を生成するステップ、画像投影表面での第一の表示サイズを表す第一のデータ、又は画像投影表面での第二の表示サイズを表す第二のデータのいずれかをメモリから選択的に検索し、検索されたデータに応答して、第一及び第二の表示サイズのうちの対応する１つで画像投影表面に画像を投影するステップを含む。
【００１６】
本発明の更なる別の態様では、投射型ディスプレイシステムは、光を発生する光源、光源により生成される光から画像を生成する手段、画像投影表面に画像を投影する投影手段、投射型のディスプレイシステムが位置される領域に存在する周辺の光レベルを検出する手段、及び、検出された周囲の光レベルに応答して画像投影表面で投影された画像のサイズを変えるため、投影手段を制御するために適合される制御手段を有する。
【発明を実施するための最良の形態】
【００１７】
図１は、正面投射型ディスプレイシステム１００の第一の実施の形態のブロック図を示している。  
正面投射型のディスプレイシステム１００は、光源１１０、光変調器１２０、投影レンズ系１３０、コントローラ１４０、メモリ１４５、センサ１６０、ユーザ入力１７０、１以上のビデオ入力１７５、及びビデオプロセッサ１８０を有する。ディスプレイスクリーン又は画像投影表面１５０は、正面投射型のディスプレイシステム１００の一部として提供されるか、又は以下に更に詳細に説明されるように、画像がそこに投影及び表示されるリビングルームの壁にすぎないものとして個別に提供される場合がある。
【００１８】
光源１１０は、白熱電球又は蛍光灯バルブ、１以上の発光ダイオード、又は他の便宜的な光エミッタを有する場合がある。有利なことに、光源１１０は、リフレクタ、ミラー、及び／又はレンズを含み、所望のサイズ、アスペクト比、カラーポイント、照明分布ファイル、強度等を有する光ビームを生成し、生成された光を光変調器１２０に向ける。
【００１９】
光変調器１２０は、供給されたビデオ信号に従って光を画像形成し、カラー光を有する結合された画像を生成するために構成される１以上（たとえば３つ）の液晶デバイスを有する液晶光変調器である場合がある。しかし、デジタルマイクロメータデバイス（ＤＭＤ）のような他のタイプの光変調器１２０が考えられる。
【００２０】
投影レンズ系１３０は、コントローラ１４０からの制御信号に応答して、有利にも手動制御下でも、投影レンズ系１３０に投影される画像の表示サイズを調整する手段を有する。１実施の形態では、投影レンズ系１３０は、コントローラ１４０から制御信号に基づいて表示サイズを変えるモータ駆動型のズームを含む。別の実施の形態では、投影レンズ系１３０は、コントローラ１４０からの制御信号に応答して、光変調器からの画像形成された光の光経路又は光経路の外に選択的に移動される場合がある複数のレンズを含む。有利なことに、光変調器１２０及び投影レンズ系１３０は、スキャニングレーザを含み、スキャニングレーザと動作する場合がある。
【００２１】
有利なことに、コントローラ１４０は、更に詳細に以下に説明されるように、正面投射型のディスプレイシステム１００の様々な態様を制御する命令のセットを実行するプロセッサを含む。有利なことに、センサ１６０は、正面投射型のディスプレイシステム１００が位置される領域に周囲の光を向けるために適合される光センサである。ユーザ入力１７０は、以下に更に詳細に説明されるように、正面投影型のディスプレイシステム１００の本体に設けられる１以上のマニュアルコントロール（たとえばスイッチ、ボタン等）と同様に、赤外線リモートコントロールセンサ入力を含む場合がある。
【００２２】
正面投射型のディスプレイシステム１００は、１つのビデオ入力１７５を有する場合があるが、有利なことに、複数のビデオ入力を有する場合もあり、これらは各種の異なるビデオインタフェース規格に一致する場合がある。たとえば、１つのビデオ入力１７５は、コンポーネントビデオフォーマットでビデオ信号を受信するために適合される場合がある。第二のビデオ入力１７５は、ＲＧＢフォーマットでビデオ信号を受信するために適合される場合がある。第三のビデオ入力１７５は、“Ｓ−ｖｉｄｅｏ”フォーマットでビデオ信号を受信するために適合される場合がある。第四のビデオ入力１７５は、コンポジットビデオフォーマットでビデオ信号を受信するために適合される場合がある。一部又は全部の組み合わせが可能である。
【００２３】
ここで、正面投影型のディスプレイシステム１００の動作が記載される。  
光源１１０は、所望のサイズ、アスペクト比、カラーポイント、照明分散プロファイル、強度等を有する光を発生し、生成された光を光変調器１２０に向ける。しばらくの間、表示されるべき画像又は画像系列を表す１以上のビデオ信号は、１以上のビデオ入力１７５で受信される。
【００２４】
正面投射型のディスプレイシステム１００が複数のビデオ入力１７５を有するとき、ビデオプロセッサ１８０におけるスイッチは、コントローラ１４０からの制御信号に応答し、表示用にビデオ信号（又はピクチャ・イン・ピクチャ表示モードのケースでの２つのビデオ信号）を選択する。ビデオプロセッサ１８０は、所望のように選択されたビデオ信号を処理し、処理されたビデオ信号を光変調器１２０に供給する。
【００２５】
光変調器１２０は、ビデオプロセッサ１８０から受信されたビデオ信号に従って、光源１１０により生成された光から画像を生成する。光変調器１２０は、画像を投影レンズ系１３０に供給する。投影レンズ系１３０は、以下に更に詳細に説明されるように、コントローラ１４０から受信された表示サイズ選択制御信号に応答して、画像投影表面１５０（たとえば部屋の壁、投影スクリーン等）での表示のために画像を拡大及びフォーマット化する。
【００２６】
コントローラ１４０は、投影レンズシステム１３０と共に動作し、「シネマ」視聴の経験を供給する第一の大型フォーマットの表示サイズ、又は「通常の」テレビ視聴の経験を提供する第二の小型フォーマットの表示サイズのいずれかで、画像投影表面１５０に画像を投影するのを選択する。投影レンズ系１３０は、コントローラ１４０からの制御信号に応答して、サイズ的に非常に変化する２つの表示サイズ間で切替えるために適合される。有利なことに、第一の表示サイズの対角線の寸法に対する第二の表示サイズの対角線の寸法の割合は、少なくとも３：１である。そのケースでは、第一の表示サイズは、１２０インチの対角線の寸法を有する場合があり、第二の表示サイズは、２８インチの対角線の寸法を有する場合がある。
【００２７】
有利なことに、より小さな表示サイズで、全ての光エネルギーは、より明るい画像を生成するため、より小さなエリアに入る場合がある。そのケースでは、第二の表示サイズ（たとえば２８”）で投影される画像の光強度は、画像が控えめなレベルの周囲の光をもつ部屋で良好な品質で容易に視聴可能であるような場合があり、第一の表示サイズ（たとえば１２０”）で投影される画像は、良好の品質で容易に視聴可能なため、低い周囲の光をもつ暗くされた部屋を必要とする。
【００２８】
有利なことに、第一及び第二の表示サイズは、正面投射型のディスプレイシステム１００がたとえば寸法、レイアウト、又は正面投射型のディスプレイシステム１００がインストールされる部屋の他の特性に基づいて、部屋にインストールされるとき、ユーザ又はインストーラにより選択又は決定される場合がある。投影レンズ系１３０は、表示される画像のサイズを変えるために調節可能であるように調整される。先に説明されるように、かかる調整は、たとえば、モータ駆動ズームレンズを制御し、１以上のレンズを光変調器１２０からの画像形成された光の光経路又は光経路の外に選択的に移動させ、若しくは他の方法で行い、これにより、投影レンズ系１３０の倍率を変え、表示された画像の表示サイズを変える。
【００２９】
投影レンズ系１３０の倍率を調整することでユーザ又はインストーラにより、第一の所望の表示サイズがひとたび決定されると、現在のコンフィギュレーションが第一の表示サイズとして思い出されるか又は記憶されるべきであることを指示するため、リモートコントロールユニット等の正面投射型のディスプレイシステム１００の本体でボタンが押される場合がある。有利なことに、ユーザ入力１７０を介してかかる指示を受信することに応じて、選択された第一の表示サイズを表す第一のデータ、及び選択された第一の表示サイズを生成するために必要な投影レンズ系１３０の対応するコンフィギュレーションは、メモリ１４５に記憶される。次いで、投影レンズ１３０は、表示された画像のサイズを変えるために再び調整される。第二の所望の表示サイズがユーザ又はインストーラにより一度決定されると、ボタンは、現在のコンフィギュレーションが第二の表示サイズとして記憶又は記憶されるべきであることを指示するため、正面投射型ディスプレイシステム１００の本体又はリモートコントロールユニット等のいずれかで押される場合がある。有利なことに、ユーザ入力１７０を介してのかかる指示を受信することに応じて、選択された第二の表示サイズを表す第二のデータ、及び選択された第二の表示サイズを生成するために必要な投影レンズシステム１３０の対応するコンフィギュレーションは、メモリ１４５に記憶される。任意に、第一及び第二の表示サイズは、ユーザ入力１７０を介して受信されたユーザコマンドにより望まれるように変化される（再プログラムされる）場合がある。
【００３０】
ここで、第一の表示サイズと第二の表示サイズとの間で選択するための選択手段及び方法の各種の実施の形態が説明される。  
１実施の形態では、ユーザは、彼女／彼が「シネマ」の視聴体験を供給する第一の大きなフォーマットの表示サイズで番組を視聴するのを望むか、又は「ノーマル」テレビ視聴体験を供給する第二の小さなフォーマットの表示サイズで番組を視聴するのを望むかを手動的に選択する。このケースでは、第一の表示サイズと第二の表示サイズとの間の選択は、ユーザ入力１７０を介してユーザから検索されたサイズ選択の指示により「手動で」行われる場合がある。たとえば、ユーザ入力１７０は、たとえば第一の表示サイズと第二の表示サイズとの間の切替えのための、正面投射型のディスプレイシステムの本体のスイッチ又は選択ボタン、リモートコントロールユニットのスイッチ又は選択ボタン（たとえば“Ｃｉｎｅｍａ／Ｎｏｒｍａｌ”とラベル付けされたボタン又はスイッチ）等を含む場合がある。ユーザ入力１７０を介して受信されるサイズ選択の指示に応答して、コントローラ１４０は、メモリ１４５からの第一の表示サイズ又は第二の表示サイズのいずれかを表す対応するデータを検索する。コントローラ１４０は、メモリ１４５から対応するデータを検索し、表示サイズ選択制御信号を投影レンズシステム１３０に供給して、選択された表示サイズ（すなわち第一の表示サイズ又は第二の表示サイズのいずれか）で光変調器１２０から受信された画像を投影レンズシステム１３０に投影させる。  
別の実施の形態では、表示サイズは、予め決定された基準の１つ又は組み合わせに基づいて、正面投射型のディスプレイシステム１００により自動的に選択される。
【００３１】
１つのケースでは、光センサ１６０は、正面投射型ディスプレイシステム１００が位置される領域に存在する周囲の光のレベルを検出し、周囲の光レベルを示す信号をコントローラ１４０に供給する。コントローラ１４０は、周囲の光レベルを（固定又はユーザ選択可能な）閾値と比較し、これに応じて、シネマを視聴する経験を提供する第一の（大きな）表示サイズ、又は「ノーマル」のテレビ視聴経験を提供する第二の（小さな）表示サイズのいずれかを選択する場合がある。次いで、コントローラ１４０は、メモリ１４５から対応するデータを検索し、対応する表示サイズ選択制御信号を投影レンズシステム１３０に供給する。
【００３２】
第二のケースでは、正面投射型ディスプレイシステム１００は、ビデオ入力１７５のどの１つが表示用に選択されているかを判定し、これに応答して、シネマ視聴体験を供給する第一の（大きな）表示サイズ、又は「通常の」テレビ視聴経験を供給する第二の（小さな）表示サイズのいずれかを選択する。たとえば、選択されたビデオ入力がＤＶＤプレーヤに通常接続されるタイプであると判定した場合、正面投射型のディスプレイシステム１００は、シネマ視聴体験を提供する第一の（大きな）表示サイズを自動的に選択する。他方で、選択されたビデオ入力がテレビ受信機に通常接続されるタイプ（たとえば地上波ブロードキャスト）であると判定した場合、正面投射型のディスプレイシステム１００は、通常のテレビ視聴体験を供給する第二の（小さな）表示サイズを自動的に選択する。コントローラ１４０は、どのビデオソースが表示用に選択されたかを判定し、これに応じて、シネマ視聴体験を供給する第一の（大きな）表示サイズ、又は「通常の」テレビ視聴経験を供給する第二の（小さな）表示サイズのいずれかを選択する。次いで、コントローラ１４０は、メモリ１４０から対応するデータを検索し、対応する表示サイズ選択制御信号を投影レンズシステム１３０に供給する。
【００３３】
第三のケースでは、正面投射型ディスプレイシステム１００は、表示されている画像又はビデオ信号のプログラムタイプを判定し、これに応じて、シネマ視聴の経験を供給する第一の（大きな）表示サイズ、又は「ノーマルの」テレビ視聴経験を提供する第二の（小さな）表示サイズのいずれかを選択する。たとえば、表示されているビデオプログラムが映画であると判定した場合、正面投射型のディスプレイシステムは、シネマ視聴経験を提供する第一の（大きな）表示サイズを選択する。他方で、表示されているビデオプログラムがニュースプログラムであると判定された場合、正面投射型ディスプレイシステム１００は、通常のテレビ視聴体験を提供する第二の（小さな）表示サイズを自動的に選択する。コントローラ１４０は、（たとえばケーブルデコーダ又はサテライトレシーバ又は地上波ブロードキャストレシーバといった）ビデオソースから投射型ディスプレイシステム１００に供給される番組ガイドで受信された番組ＩＤから、（たとえばテレテキスト等のような垂直帰線消去期間（ＶＢＩ）データといった）ビデオ信号に埋め込まれた情報から、ビデオプログラムのタイプを判定する。この情報に応答して、コントローラ１４０は、シネマ視聴体験を提供する第一の（大きな）表示サイズ、又は「ノーマルな」テレビ視聴体験を提供する第二の（小さな）表示サイズのいずれかを選択する場合がある。次いで、コントローラ１４０は、メモリ１４５から対応するデータを検索し、対応する表示サイズの制御信号を投影レンズシステム１３０に供給する。
【００３４】
第四のケースでは、正面投射型ディスプレイシステム１００は、表示されている画像又はビデオ信号の内容（たとえばカラーパターン、動き等）を分析し、これに応じて、シネマ視聴体験を供給する第一の（大きな）表示サイズ、又は「ノーマルの」テレビ視聴体験を提供する第二の（小さな）表示サイズのいずれかを選択する。たとえば、表示されているビデオプログラムが多数の動き又は適切な色パターンを含むと判定された場合、プログラムが映画であると推測される場合があり、そのケースでは、正面投射型のディスプレイシステム１００は、シネマ視聴体験を提供する第一の（大きな）表示サイズを選択する。他方で、表示されているビデオプログラムの動きが僅かであるか又は動きがないと判定されたか、若しくは他の特定の色パターンを有する判定された場合、“Talking head”タイプのショウであると推定される場合があり、そのケースでは、正面投射型のディスプレイシステム１００は、通常のテレビ視聴体験を提供する第二の（小さな）表示サイズを自動的に選択する。コントローラ１４０は、ビデオ／画像コンテンツの分析を実行する場合があり、これに応じて、メモリ１４５から対応するデータを検索し、対応する表示サイズの制御信号を投影レンズシステム１３０に供給する。
【００３５】
有利なことに、正面投射型のディスプレイシステム１００は、（コントローラ１４０から分離しているか、又はコントローラ１４０の一部である場合がある）電子的なサブ回路を有し、内容のタイプが決定され、最良の適切な表示サイズが自動的に選択されるように入力データストリームを分析する。代替的に、電子的なサブ回路は、ディスプレイシステムへのデータ入力の内容を分析して、予め決定された位置でデータ入力ストリームに存在する（たとえば埋め込まれた）指示されたスクリーンサイズを決定する場合がある。
【００３６】
代替的に、先に記載された４つのケースで使用される情報は、様々なやり方で結合され、シネマ視聴体験を提供する第一の（大きな）表示サイズ、又は「ノーマルな」テレビ視聴体験を提供する第二の（小さな）表示サイズのいずれかを選択するかに関して自動化された判定をなす場合がある。
【００３７】
有利なことに、第二の実施の形態（自動的な表示サイズの選択）では、表示サイズをユーザが手動で選択し、正面投射型のディスプレイシステム１００によりなされる自動選択を無視するのを可能にする手動的なオーバライド機能が含まれる。
【００３８】
したがって、正面投射型ディスプレイシステム１００は、（小さなサイズの画像を投影する）「ノーマルな」テレビジョン−リプレースメントモード、又は（大きなサイズの画像を投影する）大きなフォーマットの「シネマ」投影モードでのいずれかで選択的に動作するのを可能にする。有利なことに、周囲の光レベル、プログラムコンテンツ、ビデオソース等のような１以上の予め決定された基準に基づいて、ユーザ制御下で及び／又は自動的に画像を表示するための２つの異なる表示サイズ間で選択することができる。また、大型サイズのフォーマット（たとえば１２０”）が望まれない夜のニュースのような番組のために全ての光を小さなサイズ（たとえば２８”）の画像に集中することで大きな昼間の視聴の可能性を提供する。
【００３９】
本明細書で実施の形態が開示されたが、本発明のコンセプト及び範囲にある多くの変形が可能である。たとえば、先に記載された実施の形態はたった２つの表示サイズについてデータを決定及び記憶するが、あるケースでは、３又は幾つかの他の便利な数の表示サイズを提供する場合がある。かかる変形例は、明細書、図面及び特許請求の範囲を調べた後に当業者にとって明らかとなるであろう。したがって、本発明は、特許請求の範囲及び精神を除いて制限されない。
【図面の簡単な説明】
【００４０】
【図１】本発明の１以上の態様に係る正面投射型のディスプレイシステムの第一の実施の形態のブロック図である。
【図１】
2007516676.tif 000003
【国際調査報告】
2007516676.tif 000004
2007516676.tif 000005